【事件の表示】
　特願２０１５−　８５６５０「パターン偏光フィルム」拒絶査定不服審判事件〔平成２７年１１月２６日出願公開，特開２０１５−２１２８２３〕について，次のとおり審決する。
【結　論】
　本件審判の請求は，成り立たない。
【理　由】
第１　手続の経緯
　特願２０１５−８５６５０号（先の出願に基づく優先権主張　平成２６年４月１８日）は，平成２７年４月２０日にされた特許出願であって，その手続等の経緯の概要は，以下のとおりである。
平成３０年１２月２７日付け：拒絶理由通知書
平成３１年　３月　６日付け：意見書
平成３１年　３月　６日付け：手続補正書
平成３１年　４月　２日付け：拒絶査定（以下「原査定」という。）
令和　元年　７月　５日付け：審判請求書
令和　元年　７月　５日付け：手続補正書
第２　補正の却下の決定
［補正の却下の決定の結論］
　令和元年７月５日にした手続補正（以下「本件補正」という。）を却下する。
［理由］
　１　補正の内容
　(1) 本件補正前の特許請求の範囲
　本件補正前の（平成３１年３月６日にした手続補正後の）特許請求の範囲の請求項１の記載は，次のとおりである。
「　基材とパターン化された液晶硬化膜とが積層されたパターン偏光フィルムであって，
　前記液晶硬化膜は，重合性液晶化合物の重合物と２種以上の二色性色素とを含み，
　前記パターン偏光フィルムは， 
偏光度が１０％以下であり，単体透過率が８０％以上である領域（Ａ）を１つ以上と，
偏光度が９０％以上であり，単体透過率が４０％以上であって，液晶硬化膜を有する領域（Ｂ）を１つ以上とを有するパターン偏光フィルム。」
　(2) 本件補正後の特許請求の範囲
　本件補正後の特許請求の範囲の請求項１の記載は，次のとおりである。なお，下線は補正箇所を示す。
「　基材とパターン化された液晶硬化膜とが積層されたパターン偏光フィルムであって，
　前記液晶硬化膜は，重合性液晶化合物の重合物と
３種以上のアゾ色素
　前記パターン偏光フィルムは， 
偏光度が１０％以下であり，単体透過率が８０％以上である領域（Ａ）を１つ以上と，
偏光度が９０％以上であり，単体透過率が４０％以上であって，液晶硬化膜を有する領域（Ｂ）を１つ以上とを有するパターン偏光フィルム。」
　(3) 本件補正についての判断
　本件補正は，本件補正前の請求項１に記載された発明を特定するために必要な事項である「２種以上の二色性色素」を，本件出願の願書に最初に添付した明細書の【０１１７】の記載に基づいて，「３種以上のアゾ色素」に補正するものである。また，本件補正は，「２種以上の二色性色素」を「３種以上の二色性色素であるアゾ色素」に限定することを目的としたものと善解することができる。そして，本件補正前の請求項１に係る発明と本件補正後の請求項１に係る発明（以下「本件補正後発明」という。）の，産業上の利用分野及び発明が解決しようとする課題は同一である（本件出願の明細書の【０００１】及び【０００４】）。
　したがって，本件補正は，特許法１７条の２第３項の規定に適合するとともに，同条５項２号に掲げる事項を目的とするものである。
　そこで，本件補正後発明が，同条６項において準用する同法１２６条７項の規定に適合するか（特許出願の際独立して特許を受けることができるものであるか）について，以下，検討する。
　２　独立特許要件についての判断
　(1) 引用文献１の記載
　原査定の拒絶の理由において引用された，特開２０１３−３３２４９号公報（以下「引用文献１」という。）は，先の出願前に日本国内又は外国において頒布された刊行物であるところ，そこには，以下の記載がある。なお，下線は当合議体が付したものであり，引用発明の認定や判断等に活用した箇所を示す。
　ア　「【技術分野】
【０００１】
　本発明は，偏光素子，円偏光板及びそれらの製造方法などに関する。
…省略…
【発明が解決しようとする課題】
【０００４】
　本発明は，特定の偏光層と，光配向層とが設けられた，新規な偏光素子及び該偏光素子を含む円偏光子，並びにそれらの製造方法を提供する。
…省略…
【発明を実施するための形態】
【０００８】
…省略…本偏光素子は，液晶表示装置に好適に用いられるのみならず，後述するように本偏光素子を用いることにより，有機ＥＬ表示装置に好適に用いられる円偏光板（以下，場合により「本円偏光板」という。）を製造することもできる。
…省略…
【０００９】
　図１は，本偏光素子の最も簡単な構成を示す断面模式図である。
透明基材
上に，光配向層
及び偏光層
がこの順で積層され
偏光素子
　（工程Ａ１）透明基材上に，光反応性基を有するポリマーと溶剤とを含有する組成物を塗布して，前記透明基材上に第１塗布膜を形成する工程；
　（工程Ａ２）前記第１塗布膜から前記溶剤を乾燥除去することにより，前記透明基材上に第１乾燥被膜を形成し，第１積層体を得る工程；
　（工程Ａ３）前記第１積層体が有する前記第１乾燥被膜に偏光ＵＶを照射することにより，該第１乾燥被膜から光配向層を形成して第２積層体を得る工程；
　（工程Ａ４）前記第２積層体が有する前記光配向層上に，重合性スメクチック液晶化合物，二色性色素及び溶剤を含有する組成物を塗布して，該光配向層上に第２塗布膜を形成する工程；
　（工程Ａ５）前記第２塗布膜を，該第２塗布膜中に含まれる前記重合性スメクチック液晶化合物が重合しない条件で乾燥することにより，前記光配向層上に第２乾燥被膜を形成して第３積層体を得る工程；
　（工程Ａ６）前記第３積層体が有する前記第２乾燥被膜中の前記重合性スメクチック液晶化合物をスメクチック液晶状態とした後，該スメクチック液晶状態を保持したまま，該重合性スメクチック液晶化合物を重合させることにより，該第２乾燥被膜から偏光層を形成する工程
　図２は，（工程Ａ１）〜（工程Ａ６）からなる，本偏光素子１００の製造方法（本製造方法Ａ）の要部を示す断面模式図である。以下，この製造方法を工程ごとに説明する。
【００１０】
＜工程Ａ１＞
　工程Ａ１は，透明基材上に第１塗布膜を形成する工程である。
【００１１】
＜透明基材＞
　工程Ａ１においては，まずは透明基材１を準備する。ここでいう透明基材とは光，特に可視光を透過し得る程度の透明性を有する基材である。該透明性とは，波長３８０〜７８０ｎｍに渡る光線に対しての透過率が８０％以上となる特性をいう。
…省略…
【００１９】
＜光配向層＞
　光配向層形成に当たっては，まず，光反応性基を有するポリマー及び溶剤を含む組成物（以下，場合により「光配向層形成用組成物」という。）を準備する。
…省略…
【００３５】
＜工程Ａ２＞
　再び，図２を参照して，本製造方法Ａの工程Ａ２を説明する。
　該工程Ａ２は，前記工程Ａ１によって前記透明基材１上に形成された第１塗布膜を乾燥させることにより，該第１塗布膜に含まれる溶媒（光配向層形成用組成物に用いた溶媒）を乾燥除去することで，前記透明基材１上に第１乾燥被膜２Ａを形成し，第１積層体１０１を得る工程である。
…省略…
【００３７】
＜工程Ａ３＞
　続いて，前記第１積層体１０１の第１乾燥被膜２Ａに偏光ＵＶ（偏光紫外線）を照射することで，該第１乾燥被膜２Ａに含まれる，光反応性基を有するポリマーを配向させ，液晶配向能を付与（以下，場合により「光配向操作」という。）して第２積層体１０２を形成する。
…省略…
【００４０】
＜工程Ａ４＞
　本製造方法Ａの工程Ａ４〜工程Ａ６は，前記工程Ａ３を経て得られた前記第２積層体１０２の前記光配向層２上に，偏光層３を設けるものである。
　本偏光素子が有する偏光層は，上述のとおりの方法で形成される。繰り返しになるが，この方法について説明する。まず，重合性スメクチック液晶化合物，二色性色素及び溶剤を含有した組成物（以下，場合により「偏光層形成用組成物」という。）を調製する。工程Ａ４においては，該偏光層形成用組成物を前記配向層２上に塗布して第２塗布膜を形成する。
【００４１】
　まず，前記偏光層形成用組成物の構成成分について説明する。
　前記偏光層形成用組成物に含有される重合性スメクチック液晶化合物とは，重合性基を有し，かつスメクチック相の液晶状態を示す化合物である。重合性基とは，該重合性スメクチック液晶化合物の重合反応に関与する基を意味する。
…省略…
【００６４】
　前記偏光層形成用組成物は，二色性色素を含有する。ここでいう二色性色素とは，分子の長軸方向における吸光度と，短軸方向における吸光度とが異なる性質を有する色素をいう。このような性質を有するものであれば，二色性色素は特に制限されず，染料であっても顔料であってもよい。この染料は複数種用いてもよく，顔料も複数種用いてもよく，染料と顔料とを組み合わせてもよい。
【００６５】
　前記二色性色素は，３００〜７００ｎｍの範囲に極大吸収波長（λＭＡＸ）を有するものが好ましい。このような
二色性色素
アゾ色素
…省略…
【００８１】
　前記偏光層形成用組成物は，重合開始剤を含有すると好ましい。当該重合開始剤は，重合性スメクチック液晶化合物の重合反応を開始し得る化合物であり，より低温条件下で，当該重合反応を開始できる点で，光重合開始剤が好ましい。
…省略…
【００９５】
　以上説明した偏光層形成用組成物を，前記第２積層板の前記光配向層２上に塗布して第２塗布膜を得，該第２塗布膜中に含まれる前記重合性スメクチック液晶化合物が重合しない条件で乾燥することにより第２乾燥被膜３Ａが形成される。その結果として，第３積層体１０３が得られる。
…省略…
【００９７】
＜工程Ａ５＞
　続いて，工程Ａ５では，前記第２積層板の前記第２塗布膜を乾燥することにより，該第２塗布膜から溶剤を除去して，第２乾燥被膜３Ａを形成する。
…省略…
【００９８】
＜工程Ａ６＞
　工程Ａ６においては，前記第２乾燥被膜３Ａに含まれる重合性スメクチック液晶化合物の液晶状態をスメクチック液晶に保持したまま（積層体１０４），該重合性スメクチック液晶化合物を重合させることにより，偏光層３を形成する。この積層体１０４において，第２乾燥被膜３Ａ中の重合性スメクチック液晶化合物を，スメクチック相の液晶状態にした層を「層３Ｂ」という。
…省略…
【０１０２】
　ここでは，前記偏光層形成用組成物に光重合開始剤を含有させ，第２乾燥被膜中の重合性スメクチック液晶化合物の液晶状態をスメクチック相にした後，このスメクチック相の液晶状態を保持したまま，該重合性スメクチック液晶化合物を光重合させる方法について詳述する。光重合において，第２乾燥被膜に照射する光線としては，当該第２乾燥被膜に含まれる光重合開始剤の種類，又は重合性スメクチック液晶化合物の種類（特に，該重合性スメクチック液晶化合物が有する光重合基の種類）及びその量に応じて適宜，可視光，紫外光及びレーザー光からなる群より選択される光や活性電子線によって行うことができる。これらのうち，重合反応の進行をコントロールし易い点や，光重合に係る装置として当分野で広範に用いられているものが使用できるという点で，紫外光が好ましい。よって，紫外光によって，光重合できるように，前記偏光層形成用組成物に含有される重合性スメクチック液晶化合物や光重合開始剤の種類を選択しておくと好ましい。また，重合させる際には，紫外光照射とともに適当な冷却手段により，第２乾燥被膜を冷却することで重合温度をコントロールすることもできる。このような冷却手段の採用により，より低温で重合性スメクチック液晶化合物の重合を実施できれば，上述の透明基材１や光配向層２が比較的，耐熱性が低いものを用いたとしても，適切に偏光層３を形成できるという利点もある。なお，
光重合の際，マスキングや現像を行うなどによって，パターニングされた偏光層３を得ることもできる。
…省略…
【０１０６】
＜本偏光素子の連続的製造方法＞
　以上，本偏光素子の製造方法（本製造方法Ａ）の概要を説明したが，
商業的に本偏光素子を製造する際には，連続的に本偏光素子を製造できる方法が求められる。このような連続的製造方法はＲｏｌｌ　ｔｏ　Ｒｏｌｌ形式によるものであり，場合により，「本製造方法Ｂ」という。
【０１０７】
　本製造方法Ｂは例えば，
　透明基材が第１の巻芯に巻き取られている第１ロールを準備する工程と，
　該第１ロールから，該透明基材を連続的に送り出す工程と，
　前記光反応性基を有するポリマーと溶剤とを含有する組成物を塗布して，該透明基材上に第１塗布膜を連続的に形成する工程と，
　該第１塗布膜から該溶剤を乾燥除去することにより，該透明基材上に第１乾燥被膜を形成して，第１積層体を連続的に得る工程と，
　該第１乾燥被膜に偏光ＵＶを照射することにより，該第１積層体の搬送方向に対して，略４５°の角度に配向方向を有する光配向層を形成して，第２積層体を連続的に得る工程と，
　該光配向層上に，重合性スメクチック液晶化合物，二色性色素及び溶剤を含有する組成物を塗布して，該光配向層上に第２塗布膜を連続的に形成する工程と
　該第２塗布膜を，該第２塗布膜中に含まれる該重合性スメクチック液晶化合物が重合しない条件で乾燥することにより，該光配向層上に第２乾燥被膜を形成して第３積層体を連続的に得る工程と，
　該第２乾燥被膜中に含まれる該重合性スメクチック液晶化合物をスメクチック液晶状態とした後，該スメクチック液晶状態を保持したまま，該重合性スメクチック液晶化合物を重合させることにより，該第３積層体の搬送方向に対して，４５°の角度に吸収軸を有する偏光層を形成して，偏光素子を連続的に得る工程と，
　連続的に得られた偏光素子を第２の巻芯に巻き取り，第２ロールを得る工程と
を有する。ここで図４を参照して，本製造方法Ｂの要部を説明する。
【０１０８】
　透明基材が第１の巻芯２１０Ａに巻き取られている第１ロール２１０は例えば，市場から容易に入手できる。
…省略…
【０１０９】
　続いて，前記第１ロール２１０から透明基材を巻き出す。
…省略…
【０１１０】
　前記第１ロール２１０から巻き出された透明基材は，塗布装置２１１Ａを通過する際に，その表面上に当該塗布装置２１１Ａにより前記配向膜形成用組成物が塗布される。
…省略…
【０１１１】
　塗布装置２１１Ａを経たフィルムは，上述の透明基材上と第１塗布膜との積層体に該当するものである。かくして第１塗布膜が形成（積層）された透明基材は，乾燥炉２１２Ａへと搬送され，この乾燥炉２１２Ａにより加熱されて，透明基材と第１乾燥被膜とからなる第１積層体へと転化する。
…省略…
【０１１２】
　加熱炉２１２Ａを通過することにより連続的に形成された第１積層体は，続いて，偏光ＵＶ照射装置２１３Ａにより，該積層体の第１乾燥被膜側の表面又は透明基材側の表面に偏光ＵＶが照射され，該第１乾燥被膜は光偏光層に転化する。
…省略…
【０１１３】
　かくして連続的に形成された第１積層体は，続いて塗布装置２１１Ｂを通過することにより，該第１積層体の光配向層上に偏光層形成用組成物が塗布された後，乾燥炉２１２Ｂを通過することにより，第２積層体又は該第２積層体の第２乾燥被膜中に含まれる重合性スメクチック液晶化合物が，スメクチックの液晶状態を形成した積層体となる。
…省略…
【０１１４】
　前記乾燥炉２１２Ｂを経たフィルムは，偏光層形成用組成物に含まれていた溶剤が十分除去され，第２乾燥被膜中の重合性スメクチック液晶化合物がスメクチック相の液晶状態を保持したまま，光照射装置２１３Ｂへと搬送される。該光照射装置２１３Ｂによる光照射により，該重合性スメクチック液晶化合物は前記液晶状態を保持したまま，光重合して，偏光層が形成され，本偏光素子が連続的に形成される。
…省略…
【０１１８】
　
本製造方法Ｂにより得られる本偏光素子は，その形状がフィルム状且つ長尺状のものである。この本偏光素子は，後述する液晶表示装置などに用いる場合には，当該液晶表示装置のスケールなどに合わせ，所望の寸法になるように裁断されてから用いられる。
　イ　「【０１２１】
＜本偏光素子の用途＞
　
本偏光素子は，さまざまな表示装置に用いることができる。
表示装置としては，例えば，液晶表示装置，有機エレクトロルミネッセンス（ＥＬ）表示装置
などが挙げられる。
　一方，本円変更板は，特に有機エレクトロルミネッセンス（ＥＬ）表示装置又は無機エレクトロルミネッセンス（ＥＬ）表示装置の表示装置に有効に用いることができる。
【０１２２】
　
図６
は，本偏光素子を用いた液晶表示装置（以下，場合により「本液晶表示装置」という。）１０の断面構成を模式的に表す概略図である。
…省略…
【０１３４】
　図８は，図６のＢの部分の拡大模式図である。図８の（Ｂ１）は，本偏光素子１００を偏光子１２ｂとして用いる場合，位相差フィルム１３ｂ側から，透明基材１，光配向層２及び偏光層３がこの順に配置されるように，本偏光素子１００は設けられる。図８の（Ｂ２）は，本偏光素子１００を偏光子１２ｂとして用いる場合，位相差フィルム１３ｂ側から，偏光層３，光配向層２及び透明基材１がこの順に配置されるように，本偏光素子１００は設けられる。
【０１３５】
　
偏光子１２ｂの外側には，発光源であるバックライトユニットが配置されている。
【０１３６】
　
本液晶表示装置１０が透過型液晶表示装置である場合，バックライトユニット中の光源から発せられた白色光は
偏光子１２ｂに入射する。
【０１３７】
　
無偏光である入射光のうち，ある一方の直線偏光のみが液晶パネルの偏光子１２ｂを透過する。
【０１３８】
　ここで画素電極２２と対向する透明電極１６との間の電位差の有無により，液晶層１７に含まれる液晶分子の配向状態が変化して，本液晶表示装置１０から出射される光の輝度が制御される。
液晶層１７が，偏光をそのまま透過させる配向状態である場合，その偏光は液晶層１７，透明電極１６を透過し，ある特定の波長範囲の光がカラーフィルタ１５を透過して偏光子１２ａに到り，液晶表示装置は，カラーフィルタで決まる色を最も明るく表示する。
【０１３９】
　逆に，
液晶層１７が，偏光を変換して透過させる配向状態である場合，液晶層１７，透明電極１６及びカラーフィルタ１５を透過した光は，偏光子１２ａに吸収される。このことにより，この画素は黒を表示する。これら２つの状態の中間の配向状態では，本液晶表示装置１０から出射される光の輝度も上記両者の中間となるため，この画素は中間色を表示する。
…省略…
【産業上の利用可能性】
【０２１２】
　本発明の偏光素子及び円偏光板は，液晶表示装置，（有機）ＥＬ表示装置及び投射型液晶表示装置を製造するうえで有用である。」
　ウ　図１
「
」
　エ　図２
「
」
　オ　図３
「
」
　カ　図４
「
」
　キ　図６
「
」
　ク　図８
「
」
　(2) 引用発明
　引用文献１の【０００９】には，「本偏光素子１００」及び「本偏光素子１００の製造方法」が記載されている。
　ここで，「二色性色素」に関する【００６５】の記載からみて，引用文献１には，少なくとも，「本偏光素子１００」の「二色性色素がアゾ色素である」態様が記載されている。また，【０１０２】には，「工程Ａ６」に関して，「光重合の際，マスキングや現像を行うなどによって，パターニングされた偏光層３を得ることもできる。」と記載されている。
　以上勘案すると，引用文献１には，次の「偏光素子」の発明（以下「引用発明」という。）が記載されている。
「　透明基材上に，光配向層及び偏光層がこの順で積層された偏光素子であって，
　（工程Ａ１）透明基材上に，光反応性基を有するポリマーと溶剤とを含有する組成物を塗布して，透明基材上に第１塗布膜を形成する工程；
　（工程Ａ２）第１塗布膜から溶剤を乾燥除去することにより，透明基材上に第１乾燥被膜を形成し，第１積層体を得る工程；
　（工程Ａ３）第１積層体が有する第１乾燥被膜に偏光ＵＶを照射することにより，第１乾燥被膜から光配向層を形成して第２積層体を得る工程；
　（工程Ａ４）第２積層体が有する光配向層上に，重合性スメクチック液晶化合物，二色性色素及び溶剤を含有する組成物を塗布して，光配向層上に第２塗布膜を形成する工程；
　（工程Ａ５）第２塗布膜を，第２塗布膜中に含まれる重合性スメクチック液晶化合物が重合しない条件で乾燥することにより，光配向層上に第２乾燥被膜を形成して第３積層体を得る工程；
　（工程Ａ６）第３積層体が有する第２乾燥被膜中の重合性スメクチック液晶化合物をスメクチック液晶状態とした後，スメクチック液晶状態を保持したまま，重合性スメクチック液晶化合物を重合させることにより，第２乾燥被膜から偏光層を形成する工程，ここで，光重合の際，マスキングや現像を行うなどによって，パターニングされた偏光層を得ることもでき，
　二色性色素がアゾ色素である，
　偏光素子。」
　(3) 対比
　本件補正後発明と引用発明を対比すると，以下のとおりとなる。
　ア　パターン偏光フィルム
　引用発明の「偏光素子」は，上記の「工程Ａ１」〜「工程Ａ６」によって製造され，「透明基材上に，光配向層及び偏光層がこの順で積層された」ものである。
　ここで，引用発明の「透明基材」及び「偏光素子」は，その文言が意味するとおり，「基材」及び「偏光子」として機能するものである。また，上記の層構造からみて，引用発明の「偏光素子」は，「透明基材」と「偏光層」とが積層された，フィルム状のものである。加えて，上記の製造工程からみて，引用発明の「偏光層」は，「重合性スメクチック液晶化合物」が硬化した膜状のものである。
　そうしてみると，引用発明の「透明基材」及び「偏光層」は，それぞれ，本件補正後発明の「基材」及び「液晶硬化膜」に相当する。また，引用発明の「偏光素子」と本件補正後発明の「パターン偏光フィルム」とは，「基材と」「液晶硬化膜とが積層された」「偏光フィルム」である点で共通する。
　イ　液晶硬化膜
　引用発明の「偏光層」は，上記の「工程Ａ１」〜「工程Ａ６」によって製造され，「二色性色素がアゾ色素である」。
　上記の組成及び製造工程からみて，引用発明の「偏光層」は，「重合性スメクチック液晶化合物」と「アゾ色素」とを含む。
　そうしてみると，引用発明の「偏光層」と本件補正後発明の「液晶硬化膜」は，「前記液晶硬化膜は，重合性液晶化合物の重合物と」「アゾ色素とを含み」という点で共通する。
　(4) 一致点及び相違点
　ア　一致点
　本件補正後発明と引用発明は，次の構成で一致する。
「　基材と液晶硬化膜とが積層された偏光フィルムであって，
　前記液晶硬化膜は，重合性液晶化合物の重合物とアゾ色素とを含む，
偏光フィルム。」
　イ　相違点
　本件補正後発明と引用発明は，以下の点で相違する。
（相違点１）
　「偏光フィルム」が，本件補正後発明は，「液晶硬化膜」が「パターン化された」，「パターン偏光フィルム」であり，「前記パターン偏光フィルムは」，「偏光度が１０％以下であり，単体透過率が８０％以上である領域（Ａ）を１つ以上と」，「偏光度が９０％以上であり，単体透過率が４０％以上であって，液晶硬化膜を有する領域（Ｂ）を１つ以上とを有する」のに対して，引用発明は，「工程Ａ６」の「光重合の際，マスキングや現像を行うなどによって，パターニングされた偏光層を得ることもでき」る（「パターン化された」，「パターン偏光フィルム」とすることまでは示唆されている）ものの，その余は明らかではない点。
（相違点２）
　「液晶硬化膜」に含まれる「アゾ色素」が，本件補正後発明は，「３種以上の」ものであるのに対して，引用発明は「３種以上の」ものとは特定されていない点。
　(5) 判断
　相違点についての判断は，以下のとおりである。
　ア　相違点１について
　引用発明の「偏光素子」においては，「工程６」において，「光重合の際，マスキングや現像を行うなどによって，パターニングされた偏光層を得ることもでき」るとされている。すなわち，引用発明の「偏光素子」においては，マスキングのパターンに応じて，「第２乾燥被膜」が光重合せず現像により除去される領域と，「第２乾燥被膜」が光重合し「偏光層」となる領域とを形成し，偏光層をパターニングできることが示唆されている。
　ところで，「液晶表示装置」や「有機ＥＬ表示装置」等の表示装置において，「偏光子層の一部分を除去することによって開口部を形成すること」は，周知技術である（例えば，特開２０１２−１３７７３８号公報（以下「周知例１」という。）の【請求項１】，【請求項２】，【００２６】，【００３９】及び【００４０】，特開平９−６８６８４号公報（以下「周知例２」という。）の【００１３】，【００１５】，【００１９】及び【図３】，特開２００５−３９５７８号公報（以下「周知例３」という。）の【０１２４】，【０１２５】及び【図１１】を参照。）。また，引用文献１の【０１２１】〜【０１３９】には，引用発明の「偏光素子」（本偏光素子）の用途として，「液晶表示装置」や「有機ＥＬ表示装置」等の表示装置が例示されている。
　そうしてみると，当業者が，このような用途において引用発明の「偏光素子」を具体化することは，引用文献１が示唆する範囲内の創意工夫といえる。
　また，上記のとおり「パターニングされた偏光素子」は，「偏光層」が存在しない領域と，「偏光層」が存在する領域があるところ，前者が，本件補正後発明の「偏光度が１０％以下であり，単体透過率が８０％以上である領域（Ａ）」の要件を満たし，後者が，「偏光度が９０％以上であり，単体透過率が４０％以上であって，液晶硬化膜を有する領域（Ｂ）」の要件を満たすことは明らかである。
　そうしてみると，引用発明の「偏光素子」を，相違点１に係る本件補正後発明の構成を具備したものとすることは，当業者が容易に発明をすることができたものである。
　ここで，本件補正後発明の「パターン」に関して，本件出願の明細書の【００１６】には，「本パターン偏光フィルムにおけるパターンとは規則的な模様を意味する。つまり，不規則な欠陥及び，偏光特性を付与していない単なる淵部分等のみを有し，規則的な模様を有さない偏光フィルムは，本パターン偏光フィルムに該当しない。」と記載されている。
　これに対して，例えば，周知例１の【図１】及び【図２】から看取されるものは，「規則的な模様」とはいいがたいものである。
　しかしながら，本件補正後発明の「領域（Ａ）」及び「領域（Ｂ）」は，「１つ」で足りるものであり，本件出願の【図３】から看取されるような態様を含むものである。
　また，仮に，本件補正後発明の「パターン」が，「規則的な模様」を意味する（本件出願の【００１６】の記載が示唆するように，規則的な模様を有さない態様を含まない）と解したとしても，以下のように考えることができる。
　すなわち，周知例３の【図１１】（ｃ）の「開口領域４０５」は，「規則的な模様」と理解し得るものである。また，引用文献１の【０１０６】〜【０１１８】には，「Ｒｏｌｌ　ｔｏ　Ｒｏｌｌ形式」による「本偏光素子」の製造方法が開示されている。この場合，「液晶表示装置のスケールなどに合わせ，所望の寸法になるように裁断され」る前の偏光素子（引用文献１の【０１１８】）は，「パターニングされた偏光層」が配列した「規則的な模様」のものといえる。
　イ　相違点２について
　引用文献１の【０１３４】〜【０１３９】には，引用発明の「偏光素子」（本偏光素子）の用途として，「液晶表示装置」の「バックライトユニット」側の「偏光子１２ｂ」が開示されている。また，このような「偏光子１２ｂ」は，「カラーフィルタ１５」における，青〜緑〜赤の波長範囲において，「偏光子１２ｂ」として機能することが求められる。
　ところで，「偏光膜の二色性色素として，互いに異なる吸収波長を有する３種類のアゾ色素を用いること」は，周知技術である（例えば，特開２０１３−１０９０９０号公報の【００２９】〜【００３２】，特開２００９−１４５７７６号公報の【０１２９】を参照。）。また，周知技術は，上記「偏光子１２ｂ」の用途に特に適したものといえる。
　そうしてみると，引用発明の「二色性色素」を「３種以上のアゾ色素」とすることは，当業者が容易に発明をすることができたものである。
　あるいは，引用発明の「偏光素子」は，「有機ＥＬ表示装置に好適に用いられる円偏光板…を製造することもできる。」。そして，「有機ＥＬ表示装置に好適に用いられる円偏光板」として，色付きのない外光反射特性のものを得ようと考えた当業者ならば，やはり，引用発明の「二色性色素」を「３種以上のアゾ色素」とする。
　(6) 発明の効果について
　本件補正後発明の効果に関して，本件出願の明細書の【０００６】には，「本発明のパターン偏光フィルムによれば，薄く，反射防止特性に優れるパターン円偏光板が得られる。」と記載されている。
　しかしながら，本件補正後発明の「パターン偏光フィルム」は，その厚さが規定されるものではなく，「アゾ色素」の分量や吸収波長も規定されるものでもなく，特に「パターン円偏光板」に適したものとも思われない。
　この点は措いて検討するとしても，引用発明の「偏光素子」は，「透明基材上に，光配向層及び偏光層がこの順で積層された」ものであるから，薄いものとすることができる。また，前記(5)イで述べたとおり，当業者ならば，引用発明の「偏光素子」を，「反射防止特性に優れるパターン円偏光板」に適したものとすることもできる。
　したがって，本件補正後発明の効果は，引用発明から予測可能な範囲を超えるものではない。
　(7) 小括
　本件補正後発明は，引用文献１に記載された発明及び周知技術に基づいて，当業者が容易に発明をすることができたものであるから，特許法２９条２項の規定により特許を受けることができない。
　３　補正の却下の決定のむすび
　本件補正は，特許法１７条の２第６項において準用する同法１２６条７項の規定に違反するので，同法１５９条１項の規定において読み替えて準用する同法５３条１項の規定により却下すべきものである。
　よって，前記［補正の却下の決定の結論］のとおり決定する。
第３　本願発明について
　１　本願発明
　以上のとおり，本件補正は却下されたので，本件出願の請求項１に係る発明（以下「本願発明」という。）は，前記「第２」［理由］１(1)に記載のとおりのものである。
　２　原査定の拒絶の理由
　本願発明に対する原査定の拒絶の理由は，本願発明は，本件優先日前に日本国内又は外国において頒布された刊行物である特開２０１３−３３２４９号公報（引用文献１）に記載された発明に基づいて，当業者が容易に発明をすることができたものであるから，特許法２９条２項の規定により特許を受けることができない，というものである。
　３　引用文献及び引用発明
　引用文献１の記載及び引用発明は，前記「第２」［理由］２(1)及び(2)に記載したとおりである。
　４　対比及び判断
　本願発明は，前記前記「第２」［理由］２で検討した本件補正後発明の「３種以上のアゾ色素」を，「２種以上の二色性色素」としたものであるから，本願発明の範囲には，本件補正後発明が含まれる。
　ここで，本願発明の範囲に含まれる本件補正後発明は，前記「第２」［理由］２(3)〜(7)に記載したとおり，引用文献１に記載された発明及び周知技術に基づいて，当業者が容易に発明をすることができたものである。
　そうしてみると，本願発明も，引用文献１に記載された発明に基づいて当業者が容易に発明をすることができたものである。
第４　むすび
　以上のとおり，本願発明は，特許法２９条２項の規定により特許を受けることができないから，他の請求項に係る発明について検討するまでもなく，本件出願は拒絶されるべきものである。
　よって，結論のとおり審決する。